(57)【特許請求の範囲】
【請求項１】
ダイアフラムを有するダイアフラムポンプであって、
駆動部と、
前記駆動部が駆動されると、前記ダイアフラムに向かう前進方向と前記前進方向と反対の後退方向とに往復運動を繰り返す作動部と、
前記作動部の往復運動によって変位する作用領域を備え、前記作用領域に貫通孔が設けられるダイアフラムであって、前記貫通孔を囲んで配置され、前記ダイアフラム表面から隆起し、前記貫通孔の端縁から離間して配置された環状リブを前記作用領域に含むダイアフラムと、
前記ダイアフラムの表面側から前記貫通孔を通って前記作動部に固定される押さえ部であって、前記環状リブに少なくとも一部が当接するように設けられる押さえ部と、
を備えており、
前記ダイアフラムは、前記作用領域を複数備え、
前記複数の作用領域は、前記ダイアフラムの中心に対して放射状に配置され、
前記環状リブは、前記ダイアフラムの中心に最も近接する部分において、前記環状リブと前記押さえ部とが離間するように構成されるダイアフラムポンプ。
【請求項２】
請求項１記載のダイアフラムポンプであって、
前記押さえ部は、周縁部と、前記周縁部に囲まれる中央部とを備え、前記周縁部において、前記環状リブに当接するダイアフラムポンプ。
【請求項３】
請求項１に記載のダイアフラムポンプであって、
前記ダイアフラムは、前記環状リブと前記貫通孔との間に、平坦な貫通孔周辺部を有し、
前記押さえ部は、周縁部と、前記周縁部に囲まれ、前記周縁部の厚みよりも厚く形成された中央部とを備え、前記中央部は、前記貫通孔周辺部に当接し、前記周縁部は、前記環状リブに当接するダイアフラムポンプ。
【請求項４】
請求項１乃至３の何れか一項に記載のダイアフラムポンプと、前記ダイアフラムポンプに流体連通するノズルと、を備える加湿装置。
【請求項５】
請求項４に記載の加湿装置であって、
更に、前記ノズルと前記ダイアフラムポンプとを流体連通する管路と、前記管路に連結され、前記ノズルを着脱自在に保持する継手と、を備える加湿装置。
【請求項６】
請求項４又は５に記載の加湿装置であって、
更に、給水部と、前記給水部から供給された水を加圧する昇圧ポンプと、を備え、
前記昇圧ポンプは、流路に沿って、前記給水部と前記ダイアフラムポンプとの間に配置される加湿装置。
【請求項７】
請求項６に記載の加湿装置であって、
前記加湿装置の載置面から前記昇圧ポンプの底部までの距離は、前記加湿装置の載置面から前記給水部の底部までの距離よりも短くなるように配置される加湿装置。
【請求項８】
ダイアフラムと、駆動部と、前記駆動部が駆動されると、前記ダイアフラムに向かう前進方向と前記前進方向と反対の後退方向とに往復運動を繰り返す作動部と、前記作動部に固定される押さえ部と、を備えるダイアフラムポンプに用いられるダイアフラムポンプ用のダイアフラムであって、
前記ダイアフラムの外縁に沿って設けられた外周側壁部と、
少なくとも前記外周側壁部に囲まれ、前記作動部の往復運動によって変位する複数の作用領域と、
を備え、
前記複数の作用領域のそれぞれは、貫通孔と、前記貫通孔を囲んで設けられ、前記ダイアフラム表面から隆起し、かつ、前記貫通孔の端縁から離間して配置される環状リブとを備え、
前記複数の作用領域は、前記ダイアフラムの中心に対して放射状に配置され、
前記貫通孔は、前記押さえ部を前記ダイアフラムの表面側から通して該押さえ部を前記作動部に固定可能に構成され、
前記環状リブは、前記押さえ部が前記貫通孔を通った状態で、前記押さえ部の少なくとも一部と当接し、かつ、前記ダイアフラムの中心に最も近接する部分において、前記押さえ部と離間して配置されるように構成されるダイアフラムポンプ用のダイアフラム。
【発明の詳細な説明】
【技術分野】
【０００１】
本発明は、加湿装置、ダイアフラムポンプ及びダイアフラムに関する。
【背景技術】
【０００２】
加湿装置は、適切な湿度に調整し、感染症の予防、皮膚や目の乾燥防止、公害微粒子などの沈塵、クリーニング工場や印刷塗装工場における湿度維持などを目的として、病院、高齢者施設、学校、工場などで使用されている。従来から、加湿装置には、空間を所定の湿度まで短時間に加湿できるものが望まれている。
【０００３】
特許文献１には、所定の湿度まで短時間に加湿できる加湿装置として、高圧水をノズルから噴き出して、霧を発生させて、ファンからの温風流によって霧を拡散することで加湿を行う加湿装置が記載されている。発生させる霧の平均粒径が大きい場合、蒸発に時間がかかるために、加湿効率が悪くなり、霧の拡散範囲が狭まって加湿範囲が制限され、更には床や壁面などの表面を濡らす可能性がある。このため、高い吐出圧力をかけることで、微細な霧を噴霧する必要があるため、加湿装置には圧力耐久性が高いプランジャーポンプが用いられている。しかし、プランジャーポンプを用いた加湿装置は、ポンプ駆動音が非常に大きく、室内や静音性を要求される室外での使用には問題がある。
【０００４】
一方、ポンプ駆動音が小さいポンプとしては、ダイアフラムポンプが知られている。ダイアフラムポンプは、可撓性のあるダイアフラムをピストンで連続的に変位させることによって、ポンプ室の圧縮と膨張を繰り返し、膨張時に水がポンプ室に流れ込み、圧縮時に水がポンプ室から圧送されて、ポンプから加圧水が吐出されるようになっている。このようなダイアフラムとして、特許文献２に記載のように、ダイアフラムをピストンに固定するために、ダイアフラムに貫通孔を設け、ダイアフラム表面に押さえ部を配して、押さえ部を貫通孔を介してピストンに固定するものが知られている。
【０００５】
しかし、上述のようなダイアフラムポンプを加湿装置に使用する場合には、高い吐出圧力、例えば１．５ＭＰａ程度の吐出圧力を供することが要求されるが、このような高い吐出圧力を供するために必要なポンプ室内の水圧に対して、ダイアフラムは耐久性を有していない。従って、上述のような加湿装置に使用することはできるダイアフラムポンプは存在していない。
【先行技術文献】
【特許文献】
【０００６】
【特許文献１】特開２０１０−３８４６１号公報
【特許文献２】特開２０１５−１３５１１５号公報
【発明の概要】
【発明が解決しようとする課題】
【０００７】
本発明者らは、１．５ＭＰａ程度の高い吐出圧力を出すように、ダイアフラムを加圧して、ダイアフラムポンプを強制的に駆動させることを試みたところ、ダイアフラムポンプ内のダイアフラムにおいて、貫通孔を囲む領域であって、貫通孔の端縁から離間した部分に変形や破損が生じやすいことを知見した。本発明は、上記知見に基づいてなされたものであり、静音性が高く、かつ、高い吐出圧力を実現することができるダイアフラムポンプ及びそれに用いるダイアフラムを提供することを目的とする。また、本発明は、空間を効率よく加湿できると共に、高い静音性を実現することができる加湿装置の提供を目的とする。
【課題を解決するための手段】
【０００８】
上記課題に鑑みて、本発明の実施形態は、以下の手段を採用する。
（１）本発明の実施形態に係るダイアフラムポンプは、ダイアフラムを有するダイアフラムポンプであって、駆動部と、上記駆動部が駆動されると、上記ダイアフラムに向かう前進方向と上記前進方向と反対の後退方向とに往復運動を繰り返す作動部と、上記作動部の往復運動によって変位する作用領域を備え、上記作用領域に貫通孔が設けられるダイアフラムであって、上記貫通孔を囲んで配置され、上記ダイアフラム表面から隆起し、上記貫通孔の端縁から離間して配置された環状リブを上記作用領域に含むダイアフラムと、上記ダイアフラムの表面側から上記貫通孔を通って上記作動部に固定される押さえ部であって、上記環状リブに少なくとも一部が当接するように設けられる押さえ部と、を備えており、前記ダイアフラムは、前記作用領域を複数備え、前記複数の作用領域は、前記ダイアフラムの中心に対して放射状に配置され、前記環状リブは、前記ダイアフラムの中心に最も近接する部分において、前記環状リブと前記押さえ部とが離間するように構成される。
（２）本発明の実施形態に係る加湿装置は、上記のダイアフラムポンプと、上記ダイアフラムポンプに流体連通するノズルと、を備える。
（３）本発明の実施形態に係るダイアフラムは、ダイアフラムと、駆動部と、前記駆動部が駆動されると、前記ダイアフラムに向かう前進方向と前記前進方向と反対の後退方向とに往復運動を繰り返す作動部と、前記作動部に固定される押さえ部と、を備えるダイアフラムポンプに用いられるダイアフラムポンプ用のダイアフラムであって、前記ダイアフラムの外縁に沿って設けられた外周側壁部と、少なくとも前記外周側壁部に囲まれ、前記作動部の往復運動によって変位する複数の作用領域と、を備え、前記複数の作用領域のそれぞれは、貫通孔と、前記貫通孔を囲んで設けられ、前記ダイアフラム表面から隆起し、かつ、前記貫通孔の端縁から離間して配置される環状リブとを備え、前記複数の作用領域は、前記ダイアフラムの中心に対して放射状に配置され、前記貫通孔は、前記押さえ部を前記ダイアフラムの表面側から通して該押さえ部を前記作動部に固定可能に構成され、前記環状リブは、前記押さえ部が前記貫通孔を通った状態で、前記押さえ部の少なくとも一部と当接し、かつ、前記ダイアフラムの中心に最も近接する部分において、前記押さえ部と離間して配置されるように構成される。
【発明の効果】
【０００９】
本発明のダイアフラムポンプ及びダイアフラムによれば、静音性が高く、かつ、高い吐出圧力をもつダイアフラムポンプを提供することができる。また、本発明の加湿装置によれば、空間を効率よく加湿できると共に、高い静音性を実現することができる。
【図面の簡単な説明】
【００１０】
【図１】本発明の実施形態に係るダイアフラムポンプ１００を示す斜視図である。
【図２】本発明の実施形態に係るダイアフラムポンプ１００の分解斜視図である。
【図３】本発明の実施形態に係るダイアフラム６を示す斜視図である。
【図４】図３に示すダイアフラム６のＡ−Ａ’断面における断面図である。
【図５】本発明の実施形態に係る加湿装置１０００を示す概略図である。
【図６】図５の加湿装置１０００の噴霧部３００の側面模式図であり、実線で外部構造、破線で内部構造を示す。
【発明を実施するための形態】
【００１１】
（ダイアフラムポンプ）
本発明の実施形態に係るダイアフラムポンプ１００及びそれに用いられるダイアフラム６について、図１から図４を参照して説明する。図１は、本発明のダイアフラムポンプ１００を示す斜視図であり、図２は、本発明のダイアフラムポンプ１００の分解斜視図である。図３は、本発明の実施形態に係るダイアフラム６を示す斜視図であり、図４は、図３のダイアフラム６のＡ−Ａ’断面における断面図である。なお、以下、本明細書において、共通する部分には同じ符号を付して説明している。
【００１２】
図１及び２に示すように、ダイアフラムポンプ１００は、駆動部１側からポンプヘッドカバー１３側に向かって、駆動部１、作動部４、作動部ハウジング５、ダイアフラム６、押さえ部７、ポンプ室ハウジング９、及び、ポンプヘッドカバー１３を順に備える。ポンプヘッドカバー１３は、作動部ハウジング５を介して駆動部１にネジ止め等によって固定され、ポンプヘッドカバー１３と駆動部１とで定義される空間に、作動部４、作動部ハウジング５、ダイアフラム６、押さえ部７及びポンプ室ハウジング９が収容されている。
【００１３】
駆動部１としては、公知の駆動機を用いることができ、ブラシモーターやブラシレスモーターなどの電動モーターが例示される。駆動部１の出力軸２５は、偏心機構２を備える作動部４の軸受部３に挿嵌され、作動部４の偏心作動部材４１にはダイアフラム６を挟んで押さえ部７が固定されている。更に、ダイアフラム６には、ポンプ室ハウジング９が固着されている。このように、ダイアフラムポンプ１００には、ダイアフラム６、押さえ部７及びポンプ室ハウジング９によってポンプ室Ｒが設けられている。
【００１４】
偏心機構２は、出力軸２５を横切る一表面が出力軸２５に垂直な面となるように設けられ、他表面は出力軸２５の垂直面に対して傾斜する面となるように設けられた偏心板を備えている。偏心機構２は軸受部３に固定されている。このような構成により、偏心機構２は、軸受部３を介して、偏心作動部材４１から独立して回動可能である。一方、偏心作動部材４１は、押さえ部７によって、ダイアフラム６に固定されている。このような構成により、作動部４は、駆動部１の駆動によって偏心機構２が回転されることにより、変位する３つの偏心作動部材４１を偏心機構２の上方に有する。詳細に説明すると、偏心作動部材４１は、駆動部１を駆動して、偏心機構２を回転させることで、ダイアフラム６に向かう前進方向への移動と、その反対の後退方向への移動と、の往復ストロークを繰り返す連続運動を行うように作動される。図２中、この前進方向及び後退方向は、矢印で示されている。
【００１５】
作動部４は、偏心作動部材４１を露出する開孔５２が形成された作動部ハウジング５に収容されている。作動部ハウジング５は、駆動部１及びポンプヘッドカバー１３に固定されている。作動部ハウジング５の開孔５２は、偏心作動部材４１の外径よりわずかに大きい内径を有するように配置され、作動部ハウジング５の開孔５２を介して作動部４の偏心作動部材４１の連続運動が行われる。
【００１６】
次に、図３及び図４を参照して、ダイアフラム６について説明する。図３には、説明のために、一の作用領域６０上に押さえ部７を配置し、他の作用領域６０からは押さえ部７を除去したものを図示している。ダイアフラム６は、ダイアフラム６の外縁に沿って外周側壁部６１が設けられており、少なくとも外周側壁部６１で囲まれ、貫通孔６２が形成された作用領域６０を備えている。作用領域６０は、作動部４の偏心作動部材４１の連続運動によって変位する部分であり、作用領域６０には貫通孔６２が設けられている。そして、押さえ部７は、ダイアフラム６の表面側から貫通孔６２を通って作動部４の偏心作動部材４１に固定される。
【００１７】
ダイアフラム６は、作用領域６０が偏心作動部材４１の往復運動によって変位できるように、樹脂などの可撓性材料を含む材料を用いて、一体成型されたものであり、変形可能に構成されている。なお、ダイアフラム６には、樹脂だけでなく、補強繊維などを含んでもよい。例えば、ダイアフラム６はＡＢＳ樹脂等の合成樹脂で形成されている。
【００１８】
ダイアフラム６の外周側壁部６１は、外周外側壁部６１ａ、及び、外周外側壁部６１ａに沿って外周外側壁部６１ａの内側に設けられた外周内側壁部６１ｂを含んでいる。ダイアフラム６の外周側壁部６１は、ポンプ室ハウジング９の外縁を受領して、ポンプ室Ｒを液密に封止するリップ部となっている。押さえ部７は、偏心作動部材４１に螺合部材や嵌合部材によって固定され、ダイアフラム６に液密に押し付けられている。ダイアフラム６は、作動部４の偏心作動部材４１の連続運動によって、作用領域６０が連続的に変位される。ダイアフラム６の作用領域６０には、押さえ部７の回転方向への移動を防止する突起部６９が設けられ、突起部６９は、押さえ部７の移動防止用貫通孔７６に挿嵌されている。
【００１９】
図示するダイアフラム６は、ダイアフラム６の中心６５から外周側壁部６１に延びる３つの放射状リブ６４を含み、放射状リブ６４によって仕切られ、ダイアフラムの中心に対して放射状に配置された３つの作用領域６０を備えている。３つの作用領域６０には、それぞれに貫通孔６２が設けられ、３つの押さえ部７が貫通孔６２を通って、作動部４の３つの偏心作動部材４１に固定される。
【００２０】
図３及び図４に示すように、本実施形態のダイアフラム６には、貫通孔６２を囲んで配置され、ダイアフラム表面から隆起し、かつ、貫通孔６２の端縁から離間して配置された環状リブ６６が形成されている。ダイアフラム６は、環状リブ６６と貫通孔６２との間に、平坦な貫通孔周辺部６８を有することになる。ダイアフラム６の表面は、押さえ部７が配置された面であって、偏心作動部材４１が配置される面の裏面である。環状リブ６６によって、ダイアフラム６の変形や破損が生じやすい部分が補強され、ダイアフラム６を高い水圧に耐えうるものとすることができる。従って、本実施形態によれば、静音性が高いダイアフラムポンプ１００を、高い吐出圧力を要する装置に適用することができる。
【００２１】
押さえ部７は、押さえ部材７２及び固定部材７４を有する。押さえ部材７２は、ダイアフラム６を作動部４に押し付けて固定するものであり、固定部材７４は、ダイアフラム６の表面側から貫通孔６２を通って押さえ部材７２を作動部４の偏心作動部材４１に固定するものである。なお、押さえ部材７２及び固定部材７４は一体的に成型されたものであってもよいし、図示のように別体で設けられたものであってもよい。
【００２２】
押さえ部材７２は、周縁部７２ａと、周縁部７２ａに囲まれる中央部７２ｂとを備え、周縁部７２ａにおいて、環状リブ６６に当接するものであってもよい。これにより、押さえ部７からダイアフラム６に印加される力を、環状リブ６６で受けて分散させることができ、より高い水圧に耐えうるダイアフラム６とすることができる。そして、このようなダイアフラム６を用いることで、ダイアフラムポンプ１００の吐出圧力をより高くすることができる。
【００２３】
更に、押さえ部７の周縁部７２ａに囲まれた中央部７２ｂは、周縁部７２ａの厚みよりも厚く形成されていてもよい。押さえ部７の周縁部７２ａは、環状リブ６６に当接し、押さえ部７の中央部７２ｂは、ダイアフラム６のうち、環状リブ６６と貫通孔６２との間の平坦な貫通孔周辺部６８に当接するように配置されていてもよい。これによれば、押さえ部７によって、ポンプ室Ｒの液密性を確保し易くできるから、駆動部１への水の浸入を防ぐことができ、かつ、ダイアフラム６をより高い水圧に耐えうるものとすることができる。この場合、ダイアフラム６の作用領域６０に設けられた突起部６９は、平坦な貫通孔周辺部６８に配置されることが好ましい。
【００２４】
環状リブ６６は、図４に示す断面形状において、頂部が弧状を呈するように設けられていてもよい。弧状の頂部が押さえ部７に接触することで、環状リブ６６に加わる力を効果的に作用領域６０に分散することができる。図示されるように、環状リブ６６は、外形が涙滴形状になるように設けられてもよい。そして、突起部６９は、涙滴形状の頂部に近接するように配置されてもよい。
【００２５】
また、ダイアフラム６は、偏心作動部材４１が配置される裏面から、環状リブ６６に向かって、環状リブ６６に沿って設けられた切り込みを有してもよい。これによれば、作用領域６０を変位しやすくすることができ、ダイアフラム６の耐久性をより一層高めることができる。
【００２６】
また、ダイアフラム６は、３つの作用領域６０を備えているが、環状リブ６６は、環状リブ６６のうち、ダイアフラム６の中心６５に最も近接する部分６７において、環状リブ６６と押さえ部７とは離間して配置されるものであってもよい。すなわち、押さえ部７は、環状リブ６６のうち、ダイアフラム６の中心６５に最も近接する部分６７において、環状リブ６６から若干離間して配置される。これによれば、ダイアフラムポンプ１００から発生される騒音を更に低減することができる。
【００２７】
図２に示すように、ポンプ室ハウジング９は、ポンプ室Ｒ内に水を流入させる３つの流入弁８と、ポンプ室Ｒから水を排出する吐出弁１１とを備えている。なお、図２の分解図においては、説明のために、流入弁８及び吐出弁１１とを、流入弁弁座及び吐出弁弁座を含むポンプ室ハウジング本体９ａから取り外して分解した図を示している。ポンプ室Ｒは、作動部４の偏心作動部材４１がダイアフラム６に向かう前進方向に移動すると、ポンプ室Ｒはダイアフラム６によって圧縮される。一方、作動部４の偏心作動部材４１がその反対の後退方向に移動すると、ポンプ室Ｒはダイアフラム６によって膨張される。このように、ポンプ室Ｒがダイアフラム６によって膨張されて、ポンプ室Ｒ内が所定の圧力になると、流入弁８が開弁して、ポンプ室Ｒ内に水が流入され、ポンプ室Ｒがダイアフラム６によって圧縮されて、ポンプ室Ｒ内が所定の圧力に達すると、吐出弁１１が開弁して加圧された水が圧送される。ポンプヘッドカバー１３には、ポンプ室Ｒに水を通すためのポンプ流入口１３２及びポンプ室Ｒからの水を吐出するポンプ吐出口１３４が相互に分離して形成され、上述のように圧送された加圧水をポンプ吐出口１３４から排出することで、ダイアフラムポンプ１００から加湿装置１や浄水装置等の他装置に加圧水を給送することができる。
【００２８】
（加湿装置）
図５及び図６を参照して、本実施形態の加湿装置１０００について説明する。図５は、本発明の実施形態に係る加湿装置１０００を示す概略図である。図６は、図５の加湿装置１０００の噴霧部３００の側面模式図であり、実線で外部構造、破線で内部構造を示す。本実施形態の加湿装置１０００は、上述のダイアフラムポンプ１００と、ダイアフラムポンプ１００に流体連通するノズル２００を備える。より詳細には、加湿装置１０００は、図５に実線で示す流路に沿って、給水部５００と、給水部５００から給送された水の水圧を上げるための昇圧ポンプ４００、水中の不純物を除去する水浄化部６００、給送される水の水圧を上げるためのダイアフラムポンプ１００、及び、ダイアフラムポンプから給送される加圧水を噴射するノズル２００を有する噴霧部３００を備える。図５に実線で示す流路は管体７００で接続されている。加湿装置１０００は、昇圧ポンプ４００、水浄化部６００、ダイアフラムポンプ１００、及び、噴霧部３００の少なくとも一部を収容する筺体８００を備え、加湿装置１０００が移動可能に形成されてもよい。加湿装置１０００は、筺体８００にキャスターを有することで、更に移動を容易にしてもよい。
【００２９】
給水部５００は、噴霧部３００に向かって水を供給するものであって、水の入った給水容器や水道などが例示される。給水部５００から供給された水は、昇圧ポンプ４００により加圧される。昇圧ポンプ４００は、流路に沿って、給水部５００とダイアフラムポンプ１００との間に配置されることになる。ダイアフラムポンプ１００による加圧前に、昇圧ポンプ４００によって加圧をすることで、加湿装置１０００の起動を速く行うことができ、かつ、加湿装置１０００の振動を少なくすることができる。なお、昇圧ポンプ４００としては、ダイアフラムポンプを用いることができる。
【００３０】
昇圧ポンプ４００は、加湿装置１０００の載置面から昇圧ポンプ４００の底部までの距離が、加湿装置１０００の載置面から給水部５００の底部までの距離よりも短くなるように配置されてもよい。すなわち、昇圧ポンプ４００は、給水部５００よりも低い位置に設けられてもよい。これによれば、昇圧ポンプ４００の効率を上げることができる。なお、加湿装置１０００の載置面とは、加湿装置１０００が載置された床面または地面などの加湿装置１０００が載置された表面をいう。昇圧ポンプ４００から吐出された加圧水中の空気を抜くために、昇圧ポンプ４００の後段の流路に、空気抜き弁を設けてもよい。
【００３１】
水浄化部６００は、水中の不純物を除去するための浄水フィルター６１０及び紫外線などによって水の殺菌を行う殺菌手段６２０を備えてもよい。これにより、加湿装置１０００は、病院や老人施設などで用いるのに十分に衛生的な霧を噴霧することができる。浄水フィルター６１０としては、イオン交換材、活性炭やゼオライトを含む粉状または粒状の浄化材、ワインドフィルタ、活性炭フィルタ、カーボンフィルタ、中空糸フィルタ、逆浸透膜フィルタ及び限外濾過フィルタを含む公知の筒状のフィルタ材から選択される浄水部材を含むものを用いることができる。また、殺菌手段６２０としては、紫外線、加熱、薬剤による殺菌方法を用いる殺菌手段を例示することができる。
【００３２】
水浄化部６００から給送される水は、ダイアフラムポンプ１００のポンプ流入口１３２からダイアフラムポンプ内１００に流入され、ダイアフラムポンプ１００において加圧されて、ダイアフラムポンプ１００のポンプ吐出口１３４から吐出される。ダイアフラムポンプ１００から吐出される加圧水は、噴霧部３００に至り、ノズル２００から吐出される。これにより、噴霧部３００において、微粒子状の霧を発生させることで加湿を行う。噴霧部３００には、加湿装置１０００の仕様や用途に応じて、一又は複数のノズル２００が配置されてもよい。
【００３３】
次に図６を参照して、噴霧部３００について説明をする。ノズル２００は、噴霧部３００から取外し自在に構成されている。具体的には、ノズル２００は、噴霧部３００内の管体３７０に継手を介して着脱可能に固着されている。管体３７０は、ダイアフラムポンプ１００に流体連通している。ノズル２００を着脱可能とすることで、目詰まりしやすいノズル２００のメンテナンスを容易に行うことができ、かつ、ノズル２００を別ノズルに交換することが可能である。例えば、ノズル２００は、ノズル２００のノズル吐出口２０２と口径が異なるノズルに変更することも可能となる。加湿装置１０００の使用環境などに応じて、ノズル吐出口２０２の口径を変更することで、噴霧される霧の粒子サイズを可変とすることができる。ノズル２００のノズル吐出口２０２の口径は、１μｍ以上５μｍ以下とすることが好ましい。このような口径にすることにより、霧の粒子サイズを１０μｍ以上１５μｍ以下とすることができ、床や壁などに水だれが生じないようにすることができるからである。
【００３４】
噴霧部３００は、ノズル２００のノズル吐出口２０２に対して、ノズル２００の霧の吐出方向と反対側に位置づけられた送風部３２０を備えていてもよい。送風部３２０は、冷風及び温風少なくとも一方を送風することができる。送風部３２０は、送風部３２０の送風方向がノズル２００の噴霧方向と略同じ方向になるように、送風部３２０とノズル２００とが配置されることが好ましい。これにより、噴霧部３００により生成された霧が拡散しやすくなり、加湿度をより均一にすることができると共に、加湿速度を上げることができる。なお、噴霧部３００には、加湿装置１０００の仕様や用途に応じて、一又は複数の送風部３２０が配置されてもよい。
【００３５】
加湿装置１０００には、更に、図示しない温度及び／又は湿度コントローラーを備えることができる。このような温度及び／又は湿度コントローラーを備えると、加湿対象の温度及び／又は湿度に応じて、昇圧ポンプ４００、ダイアフラムポンプ１００及び水浄化部６００などの制御を自動化することができ、加湿装置１０００を自動運転とすることができる。
【００３６】
本実施形態の加湿装置１０００は、ダイアフラムポンプ１００で高圧に加圧された加圧水をノズル２００によって吐出するため、ポンプによる騒音を抑えて、静音性を実現することができる。また、本実施形態の加湿装置１０００は、ノズル２００からの高圧吐出が可能となるので、加湿装置１０００からの噴霧水量を格段に増加させると共に、微粒子状の霧を噴霧することができるから、湿度を上げるために要する時間を短縮化でき、かつ、床や壁などに水だれが生じないようにすることができる。
【００３７】
なお、本発明の技術範囲は上記実施形態に限定されるものではなく、本発明の趣旨を逸脱しない範囲において種々の変更を加えることが可能である。例えば、上述の実施形態では、ダイアフラムポンプ１００は、水用ポンプとして使用されているが、水以外の流体用ポンプとしても使用できる。本発明の加湿装置は、高効率な加湿及び高い静音性が要求される病院、高齢者施設、学校、工場などの室内において、好適に使用することができるが、これに限定されるものでなく、室外等において使用することもできることは言うまでもない。また、上述の実施形態では、加湿装置１０００は、給水部５００、昇圧ポンプ４００、水浄化部６００、ダイアフラムポンプ１００及び噴霧部３００を備えるものを用いて説明したが、加湿装置１０００は、昇圧ポンプ４００及び水浄化部６００の少なくとも一方が省略されたものであってもよい。さらに、上述の実施形態では、作用領域６０を３つ備えるダイアフラム６を用いて説明をしたが、ダイアフラム６は、１つまたは複数の作用領域６０を含むことができる。
【００３８】
上記記載から、本発明の実施形態は、以下の通りであることを確認する。
（１）本発明の実施形態に係るダイアフラムポンプは、ダイアフラムを有するダイアフラムポンプであって、駆動部と、上記駆動部が駆動されると、上記ダイアフラムに向かう前進方向と上記前進方向と反対の後退方向とに往復運動を繰り返す作動部と、上記作動部の往復運動によって変位する作用領域を備え、上記作用領域に貫通孔が設けられるダイアフラムであって、上記貫通孔を囲んで配置され、上記ダイアフラム表面から隆起し、上記貫通孔の端縁から離間して配置された環状リブを上記作用領域に含むダイアフラムと、上記ダイアフラムの表面側から上記貫通孔を通って上記作動部に固定される押さえ部であって、上記環状リブに少なくとも一部が当接するように設けられる押さえ部と、を備える。
（２）上記（１）記載のダイアフラムポンプは、上記押さえ部は、周縁部と、上記周縁部に囲まれる中央部とを備え、上記周縁部において、上記環状リブに当接してもよい。
（３）上記（１）に記載のダイアフラムポンプは、上記ダイアフラムは、上記環状リブと上記貫通孔との間に、平坦な貫通孔周辺部を有し、上記押さえ部は、周縁部と、上記周縁部に囲まれ、上記周縁部の厚みよりも厚く形成された中央部とを備え、上記中央部は、上記貫通孔周辺部に当接し、上記周縁部は、上記環状リブに当接してもよい。
（４）上記（２）又は（３）に記載のダイアフラムポンプは、上記ダイアフラムは、上記作用領域を複数備え、上記環状リブは、上記ダイアフラムの中心から上記ダイアフラムの外周側壁部までの間に配置され、上記ダイアフラムの中心に最も近接する部分において、上記環状リブと上記押さえ部とは離間して配置されていてもよい。
（５）本発明の実施形態に係る加湿装置は、ダイアフラムポンプと、上記ダイアフラムポンプに流体連通するノズルと、を備え、上記ダイアフラムポンプは、駆動部と、上記駆動部が駆動されると、上記ダイアフラムに向かう前進方向と上記前進方向と反対の後退方向とに往復運動を繰り返す作動部と、上記作動部の往復運動によって変位する作用領域を備え、上記作用領域に貫通孔が設けられるダイアフラムであって、上記貫通孔を囲んで配置され、上記ダイアフラム表面から隆起し、上記貫通孔の端縁から離間して配置された環状リブを上記作用領域に含むダイアフラムと、上記ダイアフラムの表面側から上記貫通孔を通って上記作動部に固定される押さえ部であって、上記環状リブに少なくとも一部が当接するように設けられる押さえ部と、を備える。
（６）上記（５）記載の加湿装置は、更に、上記ノズルと上記ダイアフラムポンプとを流体連通する管路と、上記管路に連結され、上記ノズルを着脱自在に保持する継手と、を備えてもよい。
（７）上記（５）又は（６）に記載の加湿装置は、更に、給水部と、上記給水部から供給された水を加圧する昇圧ポンプと、を備え、上記昇圧ポンプは、流路に沿って、上記給水部と上記ダイアフラムポンプとの間に配置されてもよい。
（８）上記（７）記載の加湿装置は、上記加湿装置の載置面から上記昇圧ポンプの底部までの距離は、上記加湿装置の載置面から上記給水部の底部までの距離よりも短くなるように配置されてもよい。
（９）本発明の実施形態に係るダイアフラムは、ダイアフラムポンプ用のダイアフラムであって、上記ダイアフラムの外縁に沿って設けられた外周側壁部と、少なくとも上記外周側壁部で囲まれ、貫通孔が形成された作用領域と、を備え、上記作用領域は、上記貫通孔を囲んで設けられ、かつ、上記貫通孔から離間して配置される環状リブを備える。
【符号の説明】
【００３９】
１  駆動部
２  偏心機構
３  軸受部
４  作動部
４１  偏心作動部材
５  作動部ハウジング
６  ダイアフラム
７  押さえ部
９  ポンプ室ハウジング
１１  吐出弁
１３  ポンプヘッドカバー
６０  作用領域
６１  外周側壁部
６２  貫通孔
６４  放射状リブ
６５  ダイアフラムの中心
６６  環状リブ
６９  突起部
７２  押さえ部材
７２ａ  押さえ部材の周縁部
７２ｂ  押さえ部材の周縁部に囲まれる中央部
７４  固定部材
１００  ダイアフラムポンプ
１３２  ポンプ流入口
１３４  ポンプ吐出口
２００  ノズル
２０２  ノズル吐出口
３００  噴霧部
３７０  管体
４００  昇圧ポンプ
５００  給水部
６００  水浄化部
７００  管体
１０００  加湿装置
【図１】
0006369492.tif 000002
【図２】
0006369492.tif 000003
【図３】
0006369492.tif 000004
【図４】
0006369492.tif 000005
【図５】
0006369492.tif 000006
【図６】
0006369492.tif 000007